(57)【要約】      （修正有）【課題】複数の葉片が奇抜な立体的な形態に展開されるため受取人により強いインパクト・興味を与えると共に今までになく多くの情報を伝達することができる折り畳み名刺を提供する。【解決手段】縦方向の折り線７を介して横方向に連接された３葉片以上からなる一組の単位シートが横方向の折り線を介して縦方向に２組連接された名刺シートを、縦方向の折り線７から折り畳んだ後に最終的に横方向の折り線から二つ折りに折り畳んだ折り畳み名刺であり、最終的に横方向の折り線から二つ折りに折り畳まれ対向する２葉片の対向面間が剥離不能に接着されると共に他の対向葉片間は疑似接着媒体を介して剥離可能に接着され、横方向の折り線で形成される袋とじ状態の下縁辺を切除して展開した後に剥離不能な対向葉片の縦方向の左側縁辺及び／又は右側縁辺に残りの葉片が連接されていることを特徴とした折り畳み名刺により解決される。【選択図】図２
2020175637.tif 000002
【特許請求の範囲】
【請求項１】
縦方向の折り線を介して横方向に連接された３葉片以上からなる一組の単位シートが横方向の折り線を介して縦方向に２組連接された名刺シートを、前記縦方向の折り線から折り畳んだ後に最終的に前記横方向の折り線から二つ折りに折り畳んだ折り畳み名刺であり、最終的に横方向の折り線から二つ折りに折り畳まれ対向する２葉片の対向面間が剥離不能に接着されると共に他の対向葉片間は疑似接着媒体を介して剥離可能に接着され、前記横方向の折り線で形成される袋とじ状態の下縁辺を切除して展開した後に前記剥離不能な対向葉片の縦方向の左側縁辺及び／又は右側縁辺に残りの葉片が連接されていることを特徴とした折り畳み名刺。
【請求項２】
請求項１の折り畳み名刺において下縁辺が切除され封緘状態が開放されていることを特徴とした折り畳み名刺。
【請求項３】
横方向の折り線に沿って切断手段が形成されていることを特徴とした請求項１に記載の折り畳み名刺。
【請求項４】
横方向の折り線に開封手段が形成されていることを特徴とした請求項１に記載の折り畳み名刺。
【発明の詳細な説明】
【技術分野】
【０００１】  本発明は、用紙の折り畳みにより得られる名刺であり、大量の情報伝達を可能にすると共に開封後に様々な立体的な状態で展開されるため受取人の興味を引く折り畳み名刺とその製造方法に関する。
【背景技術】
【０００２】  従来、一般的に使用されている名刺は１枚物である。しかしあまりにも一般的なその形態では、記載される内容が片面でしかも当たり前の情報（社名や会社に付随した情報等）に限られる。せいぜい裏面に本人のアピール内容を加える程度のものであった。【０００３】  そうした状況で、より多くの情報を受取人に伝達すべく、例えば二枚の葉片を貼り合わせたり、折り線で連接された葉片を折り合わせたりすることにより、従来よりも多くの情報を記載することを目的として、例えば特開２００１−８８４７５号に記載される複合名刺が提案されている。
【先行技術分野】
【特許文献】
【０００４】
【特許文献１】特開２００１−８８４７５号公報
【発明の概要】
【発明が解決しようとする課題】
【０００５】  既述の引用文献に記載される複合名刺は、第一カードと第二カードの２枚のカードが切取線を中心に折り畳まれると共に剥離可能に貼着されたものであり、受取人は前記重合カードを切取線に沿って分離して第一カードを保管用に、第二カードを流通用として二用途に使用し得るものとしたものである。【０００６】  前記重合名刺は、２枚の葉片それぞれに情報を記載できるため、受取人に伝達することが可能な情報が倍になり、また２枚の葉片を分離して使用するに際してそれぞれ異なる役目をさせることが可能になる。しかし使用する側としてはより多くの情報が伝達できる他に、受取人により強いインパクトを与えることが出来るアイテムとしての名刺が欲しいところである。【０００７】  本発明の折り畳み名刺は、上記問題に鑑み、複数の葉片が奇抜な立体的な形態に展開されるため受取人により強いインパクト・興味を与えると共に今までになく多くの情報を伝達することができる折り畳み名刺を提供することを目的としている。
【課題を解決するための手段】
【０００８】  上記目的を達成するために、本発明の折り畳み名刺は、縦方向の折り線を介して横方向に連接された３葉片以上からなる一組の単位シートが横方向の折り線を介して縦方向に２組連接された名刺シートを、前記縦方向の折り線から折り畳んだ後に最終的に前記横方向の折り線から二つ折りに折り畳んだ折り畳み名刺であり、最終的に横方向の折り線から二つ折りに折り畳まれ対向する２葉片の対向面間が剥離不能に接着されると共に他の対向葉片間は疑似接着媒体を介して剥離可能に接着され、前記横方向の折り線で形成される袋とじ状態の下縁辺を切除して展開した後に前記剥離不能な対向葉片の縦方向の左側縁辺及び／又は右側縁辺に残りの葉片が連接されていることを特徴としている。【０００９】  なお本発明の折り畳み名刺は、下縁辺が最終的に名刺シート全体を大きく二つ折りにした際の折り線部分（折り返し部分）になるため、前記折り返し部分は袋状に閉じられた状態になる。従って製造工程中で前記折り返し部分が切除されることが好ましい。なお受取人の興味をわざと引くためにあえて下縁辺を鋏やカッター等の切除道具を使用し切除するような構成にしても構わない。その場合予め重なり合う葉片の下縁辺に沿って破断用の切取ミシン等の破断手段を設けておいて、切除道具を使用せず手で破断除去して開封するようにしておいても構わない。【００１０】  また下縁辺の横方向の折り線に破断用の切取ミシン等の破断手段を形成しておいて、前記開封手段と同様に切除道具を使用せず、前記折り線に形成された切取ミシンを手で破断して開封するようにすることもできる。この場合破断に際して切り屑が発生しないのでより至便である。【００１１】  さらに開封に際しての前記全ての手間を省くために、受取人に手渡す以前に下縁辺を予め切除して封緘状態を解除した状態で使用するようにしても構わない。【００１２】  本発明の折り畳み名刺に使用される資材は、例えば上質紙、マット紙、コート紙等の通常の用紙、合成紙、不織布或いは樹脂フィルムシート等を好適に使用することができる。そして折り畳まれた対向面同士を剥離可能に接着する疑似接着に使用する疑似接着媒体は、大きく以下の３種類に分けられる。
１）後糊方式
印刷後の用紙の疑似接着予定面に疑似接着性のＵＶニスを塗布して疑似接着性の被膜を形成したもの。前記疑似接着性の被膜同士を対向させて加圧或いは加熱・加圧処理を施すと剥離可能に接着する。エマルジョン型の粘着剤を塗布するものもある。
２）先糊方式
印刷前の用紙の疑似接着予定面に、合成ゴム或いは天然ゴムを主成分とした疑似接着性の媒体を塗布し含侵させる。乾燥後印刷・印字を行い疑似接着予定面同士を対向させて加圧処理を施すと剥離可能に接着する。
３）フィルム方式
印刷後の用紙の疑似接着予定面に疑似接着性のフィルムシートを被覆し、前記疑似接着性のフィルムシートを対向させて加圧或いは加熱・加圧処理を施すと剥離可能に接着する。なお、フィルム方式には、対向する疑似接着予定面に予め被覆しておいて折り合わせて疑似接着する全面貼り方式と、折り畳んだ用紙の疑似接着予定面間に予め疑似接着しているフィルムを挟み込み用紙とフィルムを接着する挟み込み方式の二種類がある。【００１３】  本発明の折り畳み名刺で、その製造工程の最終で二つ折りされ対向する面同士を剥離不能に完全接着する完全接着媒体として、例えば感熱性、感圧性、感湿性の接着剤が採用できる。前記各種接着剤は、対向面に予め形成されていても良く、或いは基材の両面に形成しておいて完全接着予定面に被覆しておいたり、対向する面間に挟み込んだりしても構わない。【００１４】  本発明の折り畳み名刺は、一枚の名刺シートを縦横に折り畳み完成されるものであるが、前記折り線に形成されるミシン目や折り筋等の折り手段は、通常折り畳み名刺の製造工程中で行われる。また封緘のための密着手段としての疑似接着媒体の形成及び最終的に二つ折りに折り畳まれた際に対向する葉片を完全接着するための完全接着媒体の形成も、前記折り手段と同様で通常折り畳み名刺の製造工程中で自動的に行われる。
【発明の効果】
【００１５】  本発明の折り畳み名刺は、一枚のシートに通常の名刺と同様な情報を記載する他に、複数の葉片にその他の各種情報（広告宣伝等）を付加して一枚の名刺に所持することができ、また疑似接着された葉片を開封する動作が加わるため受取人の興味を引くことが出来る。
さらに開封すると次第に変化にとんだ予想外の状態に開封されるため、今までのありふれた折り畳み形態の名刺と比較して、より受取人の興味を引き受取人との間で話題を作ることが出来る。
さらにまた本発明の折り畳み名刺を製造する際に、各種接着媒体の形成工程や折り手段の形成工程を含む面倒な作業工程を自動で行えるので、素人でも大量の折り畳み名刺を短時間で製造することが可能になる。勿論個別の専用機による作業で行っても極めて容易に折り畳み名刺を製造することができる。
【図面の簡単な説明】
【００１６】
【図１】（Ａ）は折り畳み名刺Ｍ１の平面図、（Ｂ）は（Ａ）におけるア−ア線断面図、（Ｃ）はイ−イ線断面図である。
【図２】折り畳み名刺Ｍ１を剥離展開した斜視図である。
【図３】（Ａ）は名刺シートＳ１の表面図、（Ｂ）は裏面図である。
【図４】（Ａ）は名刺シートＳ１を折り畳み、最終的に横方向の折り線９から二つ折りに折り畳む前の平面図、（Ｂ）は（Ａ）におけるウ−ウ線断面図、（Ｃ）はエ−エ線断面図である。
【図５】図４の名刺シートＳ１を横方向の折り線９から二つ折りに折り畳んだ状態の平面図、（Ｂ）は（Ａ）におけるオ−オ線断面図である。
【図６】（Ａ）は折り畳み名刺Ｍ２の平面図、（Ｂ）は（Ａ）におけるカ−カ線断面図、（Ｃ）はキ−キ線断面図である。
【図７】折り畳み名刺Ｍ２を剥離展開した斜視図である。
【図８】（Ａ）は名刺シートＳ２の表面図、（Ｂ）は裏面図である。
【図９】（Ａ）は名刺シートＳ２を折り畳み、最終的に横方向の折り線２９から二つ折りに折り畳む前の平面図、（Ｂ）は（Ａ）におけるク−ク線断面図、（Ｃ）はケ−ケ線断面図である。
【図１０】図９の名刺シートＳ２を横方向の折り線２９から二つ折りに折り畳んだ状態の平面図、（Ｂ）は（Ａ）におけるコ−コ線断面図である。
【図１１】（Ａ）は折り畳み名刺Ｍ３の平面図、（Ｂ）は（Ａ）におけるサ−サ線断面図、（Ｃ）はシ−シ線断面図である。
【図１２】折り畳み名刺Ｍ３を剥離展開した斜視図である。
【図１３】（Ａ）は名刺シートＳ３の表面図、（Ｂ）は裏面図である。
【図１４】（Ａ）は名刺シートＳ３を折り畳み、最終的に横方向の折り線５２から二つ折りに折り畳む前の平面図、（Ｂ）は（Ａ）におけるス−ス線断面図、（Ｃ）はセ−セ線断面図である。
【図１５】図１４の名刺シートＳ３を横方向の折り線５２から二つ折りに折り畳んだ状態の平面図、（Ｂ）は（Ａ）におけるソ−ソ線断面図である。
【図１６】（Ａ）は折り畳み名刺Ｍ４の平面図、（Ｂ）は（Ａ）におけるタ−タ線断面図、（Ｃ）はチ−チ線断面図である。
【図１７】折り畳み名刺Ｍ４を剥離展開した斜視図である。
【図１８】（Ａ）は名刺シートＳ４の表面図、（Ｂ）は裏面図である。
【図１９】（Ａ）は名刺シートＳ４を折り畳み、最終的に横方向の折り線７２から二つ折りに折り畳む前の平面図、（Ｂ）は（Ａ）におけるツ−ツ線断面図、（Ｃ）はテ−テ線断面図である。
【図２０】図１９の名刺シートＳ４を横方向の折り線７２から二つ折りに折り畳んだ状態の平面図、（Ｂ）は（Ａ）におけるト−ト線断面図である。
【発明を実施するための形態】
【００１７】  以下、本発明の実施の形態を図面に基づいて具体的に説明する。
なお本実施例では、疑似接着媒体及び完全接着媒体として取り扱いが至便な、疑似接着フィルムシートを使用したフィルム方式の中でも、一般的に採用されている全面貼り方式に沿って説明するが、他の方式の疑似接着媒体や完全接着媒体を用いても一向にかまわない。またフィルム方式で使用される疑似接着媒体及び完全接着媒体の具体的な構成等は以下の通りであるが、他の構成の疑似接着フィルムシートや完全接着フィルムシートを用いても構わない。
【００１８】  本実施例で使用する疑似接着フィルムシートＧは、例えばポリエチレンテレフタレートや二軸延伸ポリプロピレン等からなる基材の一方の面に、公知の感熱接着剤層を形成すると共に、残るもう一方の面に疑似接着層を形成したサーマルラミネート法に対応したものを好適に使用することができる。このものは印刷物表面に前記感熱接着剤層を介して剥離不能に接着した後、疑似接着層が対向するように折り畳み加圧或いは加熱・加圧処理を施すことで対向面同士が剥離可能に接着する。
【００１９】  本実施例で使用される完全接着フィルムシートＫは、例えばポリエチレンテレフタレートや二軸延伸ポリプロピレン等からなる基材の一方の面に、公知の感熱接着剤層を形成すると共に、残るもう一方の面にヒート処理層を形成したサーマルラミネート法に対応したものを好適に使用することができる。このものは印刷物表面に前記感熱接着剤層を介して剥離不能に接着した後、ヒート処理層が対向するように折り畳み加圧或いは加熱・加圧処理を施すことで対向面同士が剥離不能に接着する。
【実施例１】
【００２０】［折り畳み名刺Ｍ１］
図１（Ａ）、（Ｂ）、（Ｃ）及び図２に示される本実施例１の折り畳み名刺Ｍ１は、例えば図３（Ａ）及び（Ｂ）に示す名刺シートＳ１より作られる。名刺シートＳ１は縦方向の折り線７及び８により横方向に連接された第一葉片１、第二葉片２及び第三葉片３からなる単位シートが、同様に縦方向の折り線７及び８により横方向に連接された第四葉片４、第五葉片５及び第六葉片６からなる単位シートと横方向の折り線９を介して、第一葉片１と第四葉片４、第二葉片２と第五葉片５及び第三葉片３と第六葉片６がそれぞれ隣接するように上下に連接されている。【００２１】  そして前記名刺シートＳ１表面は図３（Ａ）に示すように、第二葉片２と第五葉片５の略全面と、第三葉片３と第六葉片６の全面が疑似接着フィルムシートＧにより被覆されている。また図３（Ｂ）に示すように、名刺シートＳ１裏面は、第二葉片２及び第五葉片５の略全面と、第一葉片１及び第四葉片４の全面が疑似接着フィルムシートＧに被覆されると共に第三葉片３及び第六葉片６の略全面が完全接着フィルムシートＫに被覆されている。【００２２】  なお縦方向の折り線７、８及び横方向の折り線９に折りミシンや折り筋等の折り手段を形成しておいて正確に折り畳めるようにしても構わない。また折りミシン等の折り手段の形成が名刺シートＳ１を形成するシートのみになされていても良く、或いは疑似接着フィルムシートＧや完全接着フィルムシートＫと共になされていても構わない。これについては本実施例以下の実施例も同様であるが、本明細書中の各実施例では両者共に折りミシンが形成されている。【００２３】  既述の構成の名刺シートＳ１は図４（Ａ）、（Ｂ）及び（Ｃ）に示すように、第一葉片１、第二葉片２及び第三葉片３が、また第四葉片４、第五葉片５及び第六葉片６がそれぞれ縦方向の折り線７及び８から断面Ｚ字状に折り畳まれる。【００２４】  そして前記折り畳まれた名刺シートＳ１は次に、第三葉片３及び第六葉片６に被覆された完全接着フィルムシートＫ同士が対向するように横方向の折り線９から二つ折りに折り畳まれ、図５（Ａ）及び（Ｂ）の状態にされた後にプレスローラによる加圧処理、或いはヒーターパネルとプレスローラの組み合わせやヒートローラ等の装置により加熱・加圧処理を施せば、各葉片の対向面間に介在する疑似接着フィルムシートＧ同士は剥離可能に接着され、完全接着フィルムＫ同士は剥離不能に接着される。【００２５】  既述の通り疑似接着或いは完全接着されて一体化された名刺シートＳ１は、最後に切取線１０から袋閉じ状態の折り線９部分が切除され、図１（Ａ）、（Ｂ）及び（Ｃ）に示す折り畳み名刺Ｍ１に仕上げられるのである。【００２６】  このようにして製造される折り畳み名刺Ｍ１は図１（Ｂ）に示すように、上から第一葉片１、第二葉片２、第三葉片３、第六葉片６、第五葉片５及び第四葉片４の順に積み重ねられ、第三葉片３と第六葉片６の対向面間は完全接着フィルムシートＫの介在により剥離不能に接着され、その他の各葉片の対向面間は疑似接着フィルムシートＧの介在により剥離可能に接着されている。【００２７】  この折り畳み名刺Ｍ１の受取人は、例えば疑似接着して対向している葉片同士の、横幅の相違により剥離側縁辺に沿って���成された段差を剥離の端緒として、両葉片を引き剥がして順次剥離展開することが出来る。なお前記剥離の端緒としては、疑似接着して対向している葉片同士の一方の葉片のコーナーをカットすることにより生じる段差を使用することもできる。このように剥離の端緒として段差や他の公知の手段が利用できる点に関しては以下の実施例においても同様である。【００２８】  なお各葉片の前記切取線１０の処理に関しては、本実施例のように受取人に渡る前に除去しておいてもよく、或いは受取人の興味を引くためわざと前記切取線１０からの切除を残しておいて、受取人が鋏やカッターで切除してから開封できるようしておいても構わない。また切取線１０上に破断用のミシンを形成しておいて、手で容易に袋状部分の切除ができるようにしておき、受取人がその場で開封できるようにしても構わない。さらに図５（Ｂ）に示す横方向の折り線９部分に破断用のミシンを形成しておいて、前記横方向の折り線９を手で破断ながら開封するように操作しても構わない。なお横方向の折り線９に破断用のミシンを形成する場合、開封後に切除片が切り屑として残らず極めて至便である。このような切取線１０或いは折り線９部分の処理に関しては以下の実施例においても同様である。【００２９】  本発明の折り畳み名刺Ｍ１の受取人は各葉片間を、例えば葉片表面に記載された「ここから開く」や「開封▲１▼」等の開封順序の指示に従い最終的に図２に示すように、全面的に貼り合わされた第三葉片３と第六葉片６の縁辺に連接された他の葉片を順次剥離する。そして内部に隠されていた各種情報を、透明或いは半透明な疑似接着フィルムシートＧを透して確認することができるのである。
【実施例２】
【００３０】［折り畳み名刺Ｍ２］
図６（Ａ）、（Ｂ）、（Ｃ）及び図７に示す本実施例２の折り畳み名刺Ｍ２は、例えば図８（Ａ）及び（Ｂ）に示す名刺シートＳ２より作られる。名刺シートＳ２は縦方向の折り線２７及び２８により横方向に連接された第一葉片２１、第二葉片２２及び第三葉片２３からなる単位シートが、同様に縦方向の折り線２７及び２８により横方向に連接された第四葉片２４、第五葉片２５及び第六葉片２６からなる単位シートと横方向の折り線２９を介して、第一葉片２１と第四葉片２４、第二葉片２２と第五葉片２５及び第三葉片２３と第六葉片２６がそれぞれ隣接するように上下に連接されている。【００３１】  そして前記名刺シートＳ２表面は図８（Ａ）に示すように、第三葉片２３及び第六葉片２６の略全面が疑似接着フィルムシートＧにより被覆されると共に、第二葉片２２及び第五葉片２５の略全面が完全接着フィルムシートＫにより被覆されている。また図８（Ｂ）に示すように、名刺シートＳ２裏面は、６葉片全部の全面が疑似接着フィルムシートＧにより被覆されている。【００３２】  既述の構成の名刺シートＳ２は図９（Ａ）、（Ｂ）及び（Ｃ）に示すように、第三葉片２３を巻き込むように第二葉片２２及び第一葉片２１が、また第六葉片２６を巻き込むように第五葉片２５及び第四葉片２４がそれぞれ縦方向の折り線２７及び２８から折り畳まれる。なおこの状態で生じる２カ所の対向面間には疑似接着フィルムシートＧが介在する。【００３３】  そして前記巻き折り状態に折り畳まれた名刺シートＳ２は次に第二葉片２２及び第五葉片２５に被覆された完全接着フィルムシートＫ同士が対向するよう横方向の折り線２９から二つ折りに折り畳まれ、図１０（Ａ）及び（Ｂ）の状態にされた後にプレスローラによる加圧処理、或いはヒーターパネルとプレスローラの組み合わせやヒートローラ等の装置により加熱・加圧処理を施せば、各葉片の対向面間に介在する疑似接着フィルムシートＧ同士は剥離可能に接着され、完全接着フィルムＫ同士は剥離不能に接着される。【００３４】  既述の通り疑似接着及び完全接着されて一体化された名刺シートＳ２は、最後に切取線３０から袋閉じ状態の折り線２９部分が切除され、図６（Ａ）、（Ｂ）及び（Ｃ）に示す折り畳み名刺Ｍ２に仕上げられるのである。【００３５】  このようにして製造される折り畳み名刺Ｍ２は図６（Ｂ）に示すように、上から第一葉片２１、第三葉片２３、第二葉片２２、第五葉片２５、第六葉片２６、第四葉片２４の順に積み重ねられ、第二葉片２２と第五葉片２５の対向面間は完全接着フィルムシートＫの介在により剥離不能に接着され、その他の各葉片の対向面間は疑似接着フィルムシートＧの介在により剥離可能に接着されている。そしてこの折り畳み名刺Ｍ２の受取人は、既述の通り剥離側縁辺に沿って形成された段差やコーナーカットの段差を剥離の端緒として、両葉片を引き剥がして順次剥離展開することが出来る。なお折り線２９部分の処理に関しては既述の通りである。【００３６】  本発明の折り畳み名刺Ｍ２の受取人は各葉片間を、例えば葉片表面に記載された「ここから開く」や「開封▲１▼」等の開封順序の指示に従い最終的に図７に示すように、全面的に貼り合わされた第二葉片２２と第五葉片２５の縁辺に連接された他の葉片を順次剥離する。そして内部に隠されていた各種情報を、透明或いは半透明な疑似接着フィルムシートＧを透して確認することができるのである。
【実施例３】
【００３７】［折り畳み名刺Ｍ３］
図１１（Ａ）、（Ｂ）、（Ｃ）及び図１２に示す本実施例３の折り畳み名刺Ｍ３は、例えば図１３（Ａ）及び（Ｂ）に示す名刺シートＳ３より作られる。名刺シートＳ３は縦方向の折り線４９、５０及び５１により横方向に連接された第一葉片４１、第二葉片４２、第三葉片４３及び第四葉片４４からなる単位シートが、同様に縦方向の折り線４９、５０及び５１により横方向に連接された第五葉片４５、第六葉片４６、第七葉片４７及び第八葉片４８からなる単位シートと横方向の折り線５２を介して、第一葉片４１と第五葉片４５、第二葉片４２と第六葉片４６、第三葉片４３と第七葉片４７及び第四葉片４４と第八葉片４８がそれぞれ隣接するように上下に連接されている。【００３８】  そして前記名刺シートＳ３表面は図１３（Ａ）に示すように、第三葉片４３及び第七葉片４７の略全面と、第四葉片４４及び第八葉片４８の全面が疑似接着フィルムシートＧにより被覆されると共に、第二葉片４２及び第六葉片４６の略全面が完全接着フィルムシートＫにより被覆されている。また図１３（Ｂ）に示すように、名刺シートＳ３裏面は、８葉片全部の全面が疑似接着フィルムシートＧにより被覆されている。【００３９】  既述の構成の名刺シートＳ３は図１４（Ａ）、（Ｂ）及び（Ｃ）に示すように、最初に縦方向の折り線５０から大きく二つ折りされ、さらに前記折り畳みにより重なり合う縦方向の折り線４９及び５１から二つ折りされる。いわゆるＤＭ折りである。なおこの状態で生じる３カ所の対向面間には疑似接着フィルムシートＧが介在する。【００４０】  そして前記ＤＭ折り状態に折り畳まれた名刺シートＳ３は次に第二葉片４２及び第六葉片４６に被覆された完全接着フィルムシートＫ同士が対向するよう横方向の折り線５２から二つ折りに折り畳まれ、図１５（Ａ）及び（Ｂ）の状態にされた後にプレスローラによる加圧処理、或いはヒーターパネルとプレスローラの組み合わせやヒートローラ等の装置により加熱・加圧処理を施せば、各葉片の対向面間に介在する疑似接着フィルムシートＧ同士は剥離可能に接着され、完全接着フィルムＫ同士は剥離不能に接着される。【００４１】  既述の通り疑似接着及び完全接着されて一体化された名刺シートＳ３は、最後に切取線５３から袋閉じ状態の折り線５２部分が切除され、図１１（Ａ）、（Ｂ）、（Ｃ）及び図１２に示す折り畳み名刺Ｍ３に仕上げられるのである。【００４２】  このようにして製造される折り畳み名刺Ｍ３は図１１（Ｂ）に示すように、上から第一葉片４１、第四葉片４４、第三葉片４３、第二葉片４２、第六葉片４６、第七葉片４７、第八葉片４８及び第五葉片４５の順に積み重ねられ第二葉片４２と第六葉片４６の対向面間は完全接着フィルムシートＫの介在により剥離不能に接着され、その他の各葉片の対向面間は疑似接着フィルムシートＧの介在により剥離可能に接着されている。そしてこの折り畳み名刺Ｍ３の受取人は、既述の通り剥離側縁辺に沿って形成された段差やコーナーカットの段差を剥離の端緒として、両葉片を引き剥がして順次剥離展開することが出来る。なお折り線５２部分の処理に関しては既述の通りである。【００４３】  本発明の折り畳み名刺Ｍ３の受取人は各葉片間を、例えば葉片表面に記載された「ここから開く」や「開封▲１▼」等の開封順序の指示に従い最終的に図１２に示すように、全面的に貼り合わされた第二葉片４２と第六葉片４６の縁辺に連接された他の葉片を順次剥離する。そして内部に隠されていた各種情報を、透明或いは半透明な疑似接着フィルムシートＧを透して確認することができるのである。
【実施例４】
【００４４】［折り畳み名刺Ｍ４］
図１６（Ａ）、（Ｂ）、（Ｃ）及び図１７に示す本実施例４の折り畳み名刺Ｍ４は、例えば図１８（Ａ）及び（Ｂ）に示す名刺シートＳ４より作られる。名刺シートＳ４は縦方向の折り線６９、７０及び７１により横方向に連接された第一葉片６１、第二葉片６２第三葉片６３及び第四葉片６４からなる単位シートが、同様に縦方向の折り線６９、７０及び７１により横方向に連接された第五葉片６５、第六葉片６６、第七葉片６７及び第八葉片６８からなる単位シートと横方向の折り線７２を介して、第一葉片６１と第五葉片６５、第二葉片６２と第六葉片６６、第三葉片６３と第七葉片６７及び第四葉片６４と第八葉片６８がそれぞれ隣接するように上下に連接されている。【００４５】  そして前記名刺シートＳ４表面は図１８（Ａ）に示すように、第三葉片６３及び第七葉片６７の略全面と、第四葉片６４及び第八葉片６８の全面が疑似接着フィルムシートＧにより被覆されると共に、第二葉片６２及び第六葉片６６の略全面が完全接着フィルムシートＫにより被覆されている。また図８（Ｂ）に示すように、名刺シートＳ４裏面は、６葉片全部の全面が疑似接着フィルムシートＧにより被覆されている。【００４６】  既述の構成の名刺シートＳ４は図１９（Ａ）、（Ｂ）及び（Ｃ）に示すように、縦方向の折り線６９、７０及び７１から各葉片が第四葉片６４及び第八葉片６８を巻き込むように折り畳まれる。いわゆる巻き折りである。なおこの状態で生じる３カ所の対向面間には疑似接着フィルムシートＧが介在する。【００４７】  そして前記巻き折り状態に折り畳まれた名刺シートＳ４は次に第二葉片６２及び第六葉片６６に被覆された完全接着フィルムシートＫ同士が対向するよう横方向の折り線７２から二つ折りに折り畳まれ、図２０（Ａ）及び（Ｂ）の状態にされた後にプレスローラによる加圧処理、或いはヒーターパネルとプレスローラの組み合わせやヒートローラ等の装置により加熱・加圧処理を施せば、各葉片の対向面間に介在する疑似接着フィルムシートＧ同士は剥離可能に接着され、完全接着フィルムＫ同士は剥離不能に接着される。【００４８】  既述の通り疑似接着及び完全接着されて一体化された名刺シートＳ４は、最後に切取線７３から袋閉じ状態の折り線７２部分が切除され、図１１（Ａ）、（Ｂ）、（Ｃ）及び図１２に示す折り畳み名刺Ｍ４に仕上げられるのである。【００４９】  このようにして製造される折り畳み名刺Ｍ４は図１６（Ｂ）に示すように、上から第一葉片６１、第三葉片６３、第四葉片６４、第二葉片６２、第六葉片６６、第八葉片６８、第七葉片６７及び第五葉片６５の順に積み重ねられ第二葉片６２と第六葉片６６の対向面間は完全接着フィルムシートＫの介在により剥離不能に接着され、その他の各葉片の対向面間は疑似接着フィルムシートＧの介在により剥離可能に接着されている。そしてこの折り畳み名刺Ｍ４の受取人は、既述の通り剥離側縁辺に沿って形成された段差やコーナーカットの段差を剥離の端緒として、両葉片を引き剥がして順次剥離展開することが出来る。なお折り線７２部分の処理に関しては既述の通りである。【００５０】  本発明の折り畳み名刺Ｍ４の受取人は各葉片間を、例えば葉片表面に記載された「ここから開く」や「開封▲１▼」等の剥離順序の指示に従い最終的に図１７に示すように、全面的に貼り合わされた第二葉片６２と第六葉片６６の縁辺に連接された他の葉片を順次剥離する。そして内部に隠されていた各種情報を、透明或いは半透明な疑似接着フィルムシートＧを透して確認することができるのである。【００５１】  なお本発明は上記実施例に限られるものではない。
例えば、上記実施例では上下に３葉片配置した合計６葉片の名刺シートＳ１及びＳ２、或いは上下に４葉片を配置した合計８葉片の名刺シートＳ３及びＳ４を例として記載しているが、その他に上下５葉片を配置した合計１０葉片或いはそれ以上の葉片から構成される名刺シートを使用しても構わない。
また実施例中に記載してあるが、蛇腹折りや巻き折り、観音開き折りやそれらの複合折り等、葉片の折り畳み形態に関しても制限はない
さらに何れの対向葉片を剥離不能に接着するかの選択にも制限はなく剥離不能の葉片数にも制限はない。前記選択に伴い各葉片の幅も自由に選択すればよい。【００５２】  本発明の折り畳み名刺は、名刺シートが印刷された長尺状シート或いは枚葉状シートを以下の製造工程を経て製造される。
１）順次繰り出される名刺シートが印刷された長尺状シート或いは枚葉状シートに、疑似    接着フィルムシート或いは完全接着フィルムシートを被覆する被覆工程。
２）疑似接着フィルムシート或いは完全接着フィルムシートが所定の位置に被覆された長    尺状シート或いは枚葉状シートを折り畳む折り畳み工程。
３）折り畳まれた長尺状シート或いは枚葉状シートを名刺シート毎に個切りする工程。
４）個切りされた名刺シートに加圧或いは加熱・加圧処理を施して、疑似接着及び完全接    着を完了する接着工程。
なお、上記の工程中に折りミシンや折り筋等の折り手段形成工程が何れかの工程間に配置されても構わず、工程の順序が入れ替わっても構わない。また個切りするに際して、流れ方向の余白をスリッターにより切除した後に天地方向をダイカットローラやギロチン方式の断裁機により断裁する等、段階的に各余白部分等の切除が実行されることもある。即ち長尺状シート或いは枚葉状シートの取り扱いに則した工程に入れ替えて製造すればよいのである。
【符号の説明】
【００５３】  Ｍ１、Ｍ２、Ｍ３、Ｍ４  折り畳み名刺
Ｓ１、Ｓ２、Ｓ３、Ｓ４  名刺シート
Ｇ  疑似接着フィルムシート
Ｋ  完全接着フィルムシート
１、２、３、４、５、６、２１、２２、２３、２４、２５、２６、４１、４２、４３、４４、４５、４６、４７、４８、６１、６２、６３、６４、６５、６６、６７、６８  葉片
７、８、２７、２８、４９、５０、５１、６９、７０、７１  縦方向の折り線
９、２９、５２、７２  横方向の折り線
１０、３０、５３、７３  切取線
【図１】
2020175637.tif 000003
【図２】
2020175637.tif 000004
【図３】
2020175637.tif 000005
【図４】
2020175637.tif 000006
【図５】
2020175637.tif 000007
【図６】
2020175637.tif 000008
【図７】
2020175637.tif 000009
【図８】
2020175637.tif 000010
【図９】
2020175637.tif 000011
【図１０】
2020175637.tif 000012
【図１１】
2020175637.tif 000013
【図１２】
2020175637.tif 000014
【図１３】
2020175637.tif 000015
【図１４】
2020175637.tif 000016
【図１５】
2020175637.tif 000017
【図１６】
2020175637.tif 000018
【図１７】
2020175637.tif 000019
【図１８】
2020175637.tif 000020
【図１９】
2020175637.tif 000021
【図２０】
2020175637.tif 000022